(57)【要約】  【課題】  着脱自在な蒸気筒を有する蓋体を備えた炊飯器において、蒸気筒と蓋体の着脱力に安定させて、着脱感を良好にし、炊飯器の使用性を向上する。  【解決手段】  炊飯器本体１内に鍋３を着脱自在に収納し、炊飯器本体１の上面開口部を蓋体７により開閉自在に覆い、蓋体７の下面に蒸気口８を有する内蓋９を設け、蒸気口８と炊飯器本体１外とを中継する蒸気筒１１を蓋体７に着脱自在に設ける。蒸気筒１１は蓋体７との嵌合部に爪部１３を有する筒状の弁パッキン１２を有し、蒸気筒１１の弁パッキン１２との側面当接部に溝部を有する。【選択図】  図１
2005046345.tif 000002
【特許請求の範囲】
【請求項１】
炊飯器本体と、前記炊飯器本体内に着脱自在に収納される鍋と、前記炊飯器本体の上面開口部を開閉自在に覆う蓋体と、前記蓋体の下面に設けた蒸気口を有する内蓋と、前記蓋体に着脱自在に設け前記蒸気口と炊飯器本体外とを中継する蒸気筒とを備え、前記蒸気筒は、前記蓋体との嵌合部に爪部を有する筒状の弁パッキンを有し、前記蒸気筒の前記弁パッキンとの側面当接部に溝部を有する炊飯器。
【請求項２】
溝部は蒸気筒と弁パッキンとの下面当接面まで連なり、前記弁パッキンは下面当接面から上方に連なる前記溝部の側面部と当接する凸部を有し、前記凸部の上面と前記溝部の上面との間に隙間を有する請求項１記載の炊飯器。
【請求項３】
弁パッキンの爪部の背面に位置する蒸気筒の弁パッキンとの側面当接部に溝部を有する請求項１または２記載の炊飯器。
【請求項４】
炊飯器本体と、前記炊飯器本体内に着脱自在に収納される鍋と、前記炊飯器本体の上面開口部を開閉自在に覆う蓋体と、前記蓋体の下面に設けた蒸気口を有する内蓋と、前記蓋体に着脱自在に設け前記蒸気口と炊飯器本体外とを中継する蒸気筒とを備え、前記蒸気筒は、前記蓋体との嵌合部に爪部を有する筒状の弁パッキンを有し、前記弁パッキンの蒸気筒との側面当接部に溝部を有する炊飯器。
【請求項５】
弁パッキンの爪部の上面と前記爪部の上面と対向する弁パッキンの面との隙間は、蓋体の前記弁パッキンとの嵌合部の厚みより小さくする構成とした請求項１〜４のいずれか１項に記載の炊飯器。
【発明の詳細な説明】
【技術分野】
【０００１】
本発明は、着脱自在な蒸気筒を有する蓋体を備えた炊飯器に関するものである。
【背景技術】
【０００２】
従来、この種の炊飯器は図７に示すように構成していた。以下、その構成について説明する。
【０００３】
図７に示すように、炊飯器本体２１は、上面が開口する略円筒状に形成しており、この炊飯器本体２１の内部に鍋収納部である保護枠２２を配設し、この保護枠２２内に鍋２３を着脱自在に配設している。炊飯器本体２１上部には蓋体２４を開閉自在に取り付けており、蓋体２４の下面に蒸気口２５を有する内蓋２６を配設し、その上部には蒸気口２５と連通し、鍋２３内の蒸気を炊飯器本体２１の外方に排出する蒸気通路２７を配設している。
【０００４】
さらに、この蒸気通路２７の上方には、蓋体２４より着脱自在な蒸気筒２８を配設している。蒸気筒２８と蓋体２４との嵌合部２９には弁パッキン３０を配設しており、嵌合部２９をシールし、嵌合部２９から蒸気が漏れるのを防止している。
【０００５】
また、弁パッキン３０には外周方向に凸である爪部３１を配設しており、この爪部３１で蓋体２４との嵌合を維持している（例えば、特許文献１参照）。
【特許文献１】特開平１０−２０１６２０号公報
【発明の開示】
【発明が解決しようとする課題】
【０００６】
しかしながら、上記従来の蒸気筒２８の嵌合部の構成では、部品のばらつきによっては、蒸気筒２８の着脱時の着脱力が大きくなってしまい、着脱感が低下してしまうという問題があった。例えば、蒸気筒２８と蓋体２４の嵌合部の隙間寸法が部品のばらつきにより、小さくなってしまったときは、蒸気筒２８の着脱力が大きくなり、着脱感が硬くなってしまっていた。
【０００７】
また、蒸気筒２８の装着時に着脱力が大きいと、蒸気筒２８を挿入し終えない状態で炊飯してしまう可能性があり、そのため蒸気筒２８と弁パッキン３０のシールが不完全となり、炊飯時に、ふきこぼれ、保温時には蒸気通路２７が外気に冷却されることにより、蒸気口２５下のご飯の局部的白化を引き起こしてしまうなど、炊飯器の性能を低下してしまう可能性があった。
【０００８】
本発明は上記従来の課題を解決するもので、蒸気筒と蓋体の着脱力に安定させて、着脱感を良好にし、炊飯器の使用性を向上することを目的としている。
【課題を解決するための手段】
【０００９】
本発明は上記目的を達成するために、炊飯器本体内に鍋を着脱自在に収納し、炊飯器本体の上面開口部を蓋体により開閉自在に覆い、蓋体の下面に蒸気口を有する内蓋を設け、蒸気口と炊飯器本体外とを中継する蒸気筒を蓋体に着脱自在に設け、蒸気筒は蓋体との嵌合部に爪部を有する筒状の弁パッキンを有し、蒸気筒の弁パッキンとの側面当接部に溝部を有するものである。
【００１０】
これにより、蒸気筒と蓋体の着脱力に安定させることができ、着脱感を良好にして、炊飯器の使用性を向上することができる。
【発明の効果】
【００１１】
以上のように本発明の請求項１に記載の発明によれば、蓋体の下面に蒸気口を有する内蓋を設け、蒸気口と炊飯器本体外とを中継する蒸気筒を蓋体に着脱自在に設け、蒸気筒は蓋体との嵌合部に爪部を有する筒状の弁パッキンを有し、蒸気筒の弁パッキンとの側面当接部に溝部を有するから、蒸気筒を蓋体に着脱するときに、蒸気筒の溝部に弁パッキンを逃がすことができ、蒸気筒と蓋体の設計狙いの着脱力に安定させることができ、着脱感を良好にして、炊飯器の使用性を向上することができる。
【００１２】
また、請求項２に記載の発明によれば、溝部は蒸気筒と弁パッキンとの下面当接面まで連なり、弁パッキンは下面当接面から上方に連なる溝部の側面部と当接する凸部を有し、凸部の上面と溝部の上面との間に隙間を有するから、弁パッキンの肉厚を一部増すことができ、蒸気筒を蓋体に着脱するときに、弁パッキンのたわみを利用することで、蒸気筒と蓋体の設計狙いの着脱力に安定させることができ、着脱感を良好にすることができる。
【００１３】
また、請求項３に記載の発明によれば、弁パッキンの爪部の背面に位置する蒸気筒の弁パッキンとの側面当接部に溝部を有するから、蒸気筒を蓋体に着脱するときに、蒸気筒の溝部に爪部近傍の弁パッキンを部分的に逃がすことができ、蒸気筒と蓋体の設計狙いの着脱力に安定させ、着脱感を良好にすることができる。
【００１４】
また、請求項４に記載の発明によれば、蓋体の下面に蒸気口を有する内蓋を設け、蒸気口と炊飯器本体外とを中継する蒸気筒を蓋体に着脱自在に設け、蒸気筒は蓋体との嵌合部に爪部を有する筒状の弁パッキンを有し、弁パッキンの蒸気筒との側面当接部に溝部を有するから、弁パッキンの肉厚を一部増すことができ、蒸気筒を蓋体に着脱するときに、弁パッキンのたわみを利用することで、蒸気筒と蓋体の設計狙いの着脱力に安定させることができ、着脱感を良好にすることができる。
【００１５】
また、請求項５に記載の発明によれば、弁パッキンの爪部の上面と爪部の上面と対向する弁パッキンの面との隙間は、蓋体の弁パッキンとの嵌合部の厚みより小さくする構成としたから、弁パッキンの爪部上面と爪部上面と対向する弁パッキンの面との隙間で蓋体の弁パッキンと嵌合部を固定でき、蒸気筒の装着時のがたつきを防止することができる。
【発明を実施するための最良の形態】
【００１６】
本発明の請求項１に記載の発明は、炊飯器本体と、前記炊飯器本体内に着脱自在に収納される鍋と、前記炊飯器本体の上面開口部を開閉自在に覆う蓋体と、前記蓋体の下面に設けた蒸気口を有する内蓋と、前記蓋体に着脱自在に設け前記蒸気口と炊飯器本体外とを中継する蒸気筒とを備え、前記蒸気筒は、前記蓋体との嵌合部に爪部を有する筒状の弁パッキンを有し、前記蒸気筒の前記弁パッキンとの側面当接部に溝部を有するものであり、蒸気筒を蓋体に着脱するときに、蒸気筒の溝部に弁パッキンを逃がすことができ、蒸気筒と蓋体の設計狙いの着脱力に安定させることができ、着脱感を良好にして、炊飯器の使用性を向上することができる。
【００１７】
請求項２に記載の発明は、上記請求項１に記載の発明において、溝部は蒸気筒と弁パッキンとの下面当接面まで連なり、前記弁パッキンは下面当接面から上方に連なる前記溝部の側面部と当接する凸部を有し、前記凸部の上面と前記溝部の上面との間に隙間を有するものであり、弁パッキンの肉厚を一部増すことができ、蒸気筒を蓋体に着脱するときに、弁パッキンのたわみを利用することで、蒸気筒と蓋体の設計狙いの着脱力に安定させることができ、着脱感を良好にすることができる。
【００１８】
請求項３に記載の発明は、上記請求項１または２に記載の発明において、弁パッキンの爪部の背面に位置する蒸気筒の弁パッキンとの側面当接部に溝部を有するものであり、蒸気筒を蓋体に着脱するときに、蒸気筒の溝部に爪部近傍の弁パッキンを部分的に逃がすことができ、蒸気筒と蓋体の設計狙いの着脱力に安定させ、着脱感を良好にすることができる。
【００１９】
請求項４に記載の発明は、炊飯器本体と、前記炊飯器本体内に着脱自在に収納される鍋と、前記炊飯器本体の上面開口部を開閉自在に覆う蓋体と、前記蓋体の下面に設けた蒸気口を有する内蓋と、前記蓋体に着脱自在に設け前記蒸気口と炊飯器本体外とを中継する蒸気筒とを備え、前記蒸気筒は、前記蓋体との嵌合部に爪部を有する筒状の弁パッキンを有し、前記弁パッキンの蒸気筒との側面当接部に溝部を有するものであり、弁パッキンの肉厚を一部増すことができ、蒸気筒を蓋体に着脱するときに、弁パッキンのたわみを利用することで、蒸気筒と蓋体の設計狙いの着脱力に安定させることができ、着脱感を良好にすることができる。
【００２０】
請求項５に記載の発明は、上記請求項１〜４に記載の発明において、弁パッキンの爪部の上面と前記爪部の上面と対向する弁パッキンの面との隙間は、蓋体の前記弁パッキンとの嵌合部の厚みより小さくする構成としたものであり、弁パッキンの爪部上面と爪部上面と対向する弁パッキンの面との隙間で蓋体の弁パッキンと嵌合部を固定でき、蒸気筒の装着時のがたつきを防止することができる。
【実施例１】
【００２１】
以下、本発明の実施例について、図面を参照しながら説明する。
【００２２】
（実施例１）
図１に示すように、炊飯器本体１は、上面が開口する略円筒状に形成しており、この炊飯器本体１の内部に鍋収納部である保護枠２を配設し、この保護枠２の内部に内周面に描かれた水位線を有する鍋３を着脱自在に配設している。鍋加熱コイル４は鍋３を加熱するもの、鍋３はこの鍋加熱コイル４により電磁誘導加熱され、炊飯および保温調理を行っている。加熱制御基板５は、鍋加熱コイル４へ供給する高周波電力を制御するものである。底センサ６は、炊飯および保温時において、鍋３内の温度を検知し、加熱制御基板５へ信号を送っている。
【００２３】
蓋体７は、炊飯器本体１の上部に開閉自在に取り付けており、蓋体７の下面に蒸気口８を有する内蓋９を配設し、内蓋９の上部には蒸気口８と連通した鍋３内の蒸気を炊飯器本体１の外方に排出する蒸気通路１０を配設している。さらに、この蒸気通路１０の上方には、蓋体７より着脱自在な蒸気筒１１を配設している。蒸気筒１１と蓋体７との嵌合部には弁パッキン１２を配設して嵌合部をシールし、嵌合部から蒸気が漏れるのを防止している。また、弁パッキン１２には外周方向に凸である爪部１３を配設しており、その爪部１３で蓋体７との嵌合を維持している。蒸気筒１１の弁パッキン１２との側面当接部１４には、図２に示すように、溝部１５を有している。
【００２４】
上記構成において作用を説明する。溝部１５は、蒸気筒１１を蓋体７に着脱するときに、弁パッキン１２が蓋体７の弁パッキン１２との嵌合部１６と接触する際に溝部１５に弁パッキン１２の一部を逃がす役割を果たしている。この弁パッキン１２を溝部１５に逃がすことができることにより、弁パッキン１２と蓋体７の弁パッキン１２との嵌合部１６との間の摩擦を緩和でき、着脱時の着脱感を向上することができる。
【００２５】
このように本実施例によれば、蒸気筒１１の蓋体７への着脱時において、着脱感を向上することができ、同時に、着脱力も構成部品の寸法がばらついても設計狙いの３〜１０Ｎの範囲に抑え、安定した着脱力を実現できる。
【００２６】
（実施例２）
図３に示すように、溝部１５は、蒸気筒１１の弁パッキン１２との側面当接部１４に設け、この溝部１５は、蒸気筒１１と弁パッキン１２との下面当接面１７まで連なっており、弁パッキン１２には蒸気筒１１との下面当接面１７から上方に連なる凸部１８を有している。また、この凸部１８と蒸気筒１１の溝部１５の側面部は当接し、弁パッキン１２の凸部１８の上面と蒸気筒１１の溝部１５の上面との間に隙間を有している。他の構成は上記実施例１と同じである。
【００２７】
上記構成において作用を説明する。蒸気筒１１を蓋体７へ挿入する過程において、まず、蓋体７の弁パッキン１２との嵌合部１６は弁パッキン１２の凸部１８を有する部位と接触する。その際、特に、弁パッキン１２をゴムまたはエラストマー等で形成していると、蓋体７の弁パッキン１２との嵌合部１６と接触する際に弁パッキン１２はたわみ、蒸気筒１１をスムースに挿入することができる。
【００２８】
さらに、その次に弁パッキン１２の凸部１８の上面と蒸気筒１１の溝部１５の上面との間の隙間に蓋体７の弁パッキン１２との嵌合部１６が接触すると、弁パッキン１２の一部が隙間に逃がすことができ、弁パッキン１２と蓋体７の弁パッキン１２との嵌合部１６との間の摩擦を緩和することができる。この効果は、蒸気筒１１を蓋体７から取り外す過程においても同様である。
【００２９】
このように本実施例によれば、蒸気筒１１の蓋体７への着脱時において、着脱感を向上することができ、同時に、着脱力も構成部品の寸法がばらついても設計狙いの３〜１０Ｎの範囲に抑え、安定した着脱力を実現できる。
【００３０】
（実施例３）
図４に示すように、弁パッキン１２の爪部１３の背面に位置する蒸気筒１１の弁パッキン１２との側面当接部１４に溝部１５を有している。他の構成は上記実施例１と同じである。
【００３１】
上記構成において作用を説明する。弁パッキン１２の爪部１３は弁パッキン１２の外周方向に凸となっており、蒸気筒１１を蓋体７に固定するために、その爪部１３は蓋体７の弁パッキン１２との嵌合部１６とオーバーラップする構成になっている。
【００３２】
蒸気筒１１を蓋体７へ挿入する過程において、まず、蓋体７の弁パッキン１２との嵌合部１６は弁パッキン１２の凸部１８を有する部位と接触する。その際、特に、弁パッキン１２をゴムまたはエラストマー等で形成していると、蓋体７の弁パッキン１２との嵌合部１６と接触する際に弁パッキン１２はたわみ、蒸気筒１１はスムースに挿入される。
【００３３】
さらに、弁パッキン１２の爪部１３が、蓋体７の弁パッキン１２との嵌合部１６と接触すると、弁パッキン１２の爪部１３はその背面に位置する蒸気筒１１の弁パッキン１２との側面当接部１４にある溝部１５に、弁パッキン１２の爪部１３近傍を局部的に逃がすことができ、弁パッキン１２と蓋体７の弁パッキン１２との嵌合部１６の摩擦を緩和することができる。この効果は、蒸気筒１１を蓋体７から取り外す過程においても同様である。
【００３４】
このように本実施例によれば、蒸気筒１１の蓋体７への着脱時において、着脱感を向上することができ、同時に、着脱力も構成部品の寸法がばらついても設計狙いの３〜１０Ｎの範囲に抑え、安定した着脱力を実現できる。
【００３５】
（実施例４）
図５に示すように、弁パッキン１２の蒸気筒１１との側面当接部１４に溝部１９を有する構成にしている。ここで、弁パッキン１２の蒸気筒１１との側面当接部１４となる部位の肉厚は従来の弁パッキン１２より厚くとるように構成している。他の構成は上記実施例１と同じである。
【００３６】
上記構成において作用を説明する。蒸気筒１１を蓋体７へ挿入する過程において、まず、蓋体７の弁パッキン１２との嵌合部１６は弁パッキン１２の下部と接触する。特に、弁パッキン１２をゴムまたはエラストマー等で形成していると、この弁パッキン１２の下部は、肉厚を厚くとれているため、弁パッキン１２のたわみ代も十分あり、蓋体７の弁パッキン１２との嵌合部１６と接触する際に、弁パッキン１２をたわませながら、蒸気筒１１はスムースに挿入される。
【００３７】
さらに、その次に弁パッキン１２の溝部２０に蓋体７の弁パッキン１２との嵌合部１６が接触すると、たわんだ弁パッキン１２を、溝部２０と蒸気筒１１の隙間に逃がすことができ、弁パッキン１２と蓋体７の弁パッキン１２との嵌合部１６との間の摩擦を緩和することができる。この効果は、蒸気筒１１を蓋体７から取り外す過程においても同様である。
【００３８】
このように本実施例によれば、蒸気筒１１の蓋体７への着脱時において、着脱感を向上することができ、同時に、着脱力も構成部品の寸法がばらついても設計狙いの３〜１０Ｎの範囲に抑え、安定した着脱力を実現できる。
【００３９】
（実施例５）
図６に示すように、弁パッキン１２の爪部１３の上面と爪部１３の上面と対向する弁パッキン１２の面との隙間２０（図中ａ）を、蓋体７の弁パッキン１２と嵌合部１６の厚みより小さくする構成にしたものである。他の構成は上記実施例１と同じである。
【００４０】
上記構成において作用を説明する。弁パッキン１２をゴムまたはエラストマー等で形成していると、弁パッキン１２はたわみを有することから、爪部１３上面と対向する弁パッキン１２の面との隙間２０（図中ａ）に蓋体７の弁パッキン１２との嵌合部１６食込ませる形で固定でき、蒸気筒１１の装着時のがたつきを防止することができる。
【図面の簡単な説明】
【００４１】
【図１】本発明の第１の実施例の炊飯器の一部切欠した側面図
【図２】同炊飯器の蒸気筒を蓋体に着脱した状態の要部拡大断面図
【図３】本発明の第２の実施例の炊飯器の蒸気筒を蓋体に着脱した状態の要部断面図
【図４】本発明の第３の実施例の炊飯器の蒸気筒を蓋体に着脱した状態の要部断面図
【図５】本発明の第４の実施例の炊飯器の蒸気筒を蓋体に着脱した状態の要部断面図
【図６】本発明の第５の実施例の炊飯器の蒸気筒を蓋体に着脱した状態の要部断面図
【図７】従来の炊飯器の一部切欠した側面図
【符号の説明】
【００４２】
１  炊飯器本体
３  鍋
７  蓋体
８  蒸気口
９  内蓋
１１  蒸気筒
１２  弁パッキン
１３  爪部
１４  側面当接部
１５  溝部
１６  嵌合部
【図１】
2005046345.tif 000003
【図２】
2005046345.tif 000004
【図３】
2005046345.tif 000005
【図４】
2005046345.tif 000006
【図５】
2005046345.tif 000007
【図６】
2005046345.tif 000008
【図７】
2005046345.tif 000009